(57)【要約】【課題】縦仕切り体の上部に冷蔵庫内部からの冷気が当たらないようにして縦仕切り体の表面の結露を防止する。【解決手段】観音開き式扉の一方の扉５の反枢支側の裏面に取り付けられ、観音開き式扉の間の隙間を閉塞する縦仕切り体７の上端の上の隙間に貯蔵室３の内部からの冷気が流入しないように冷蔵庫１の天井９から縦仕切り体７の上部にかけて下方に向かって垂れ下がるように延出する冷気流入防止部１３を設ける。【選択図】図１
2012037182.tif 000002
【特許請求の範囲】
【請求項１】
貯蔵室の前面開口部の左右両側に回動自在に枢支され、貯蔵室前面開口部を閉塞および開放する観音開き式扉と、この観音開き式扉の一方の扉の反枢支側の裏面に取り付けられ、観音開き式扉の一方の扉と他方の扉との間の隙間を閉塞する上下方向に延びる回動式の縦仕切り体とを有する冷蔵庫であって、
前記縦仕切り体の上端の上の隙間に貯蔵室の内部からの冷気が流入しないように冷蔵庫の天井から前記縦仕切り体の上部にかけて下方に向かって垂れ下がるように延出する冷気流入防止部を設けることを特徴とする冷蔵庫。
【請求項２】
前記冷気流入防止部は、前記縦仕切り体の上方の冷蔵庫の天井に取り付けられ、前記一方の扉の開閉に連動して前記縦仕切り体の回動を制御するガイド片と一体的に構成されることを特徴とする請求項１記載の冷蔵庫。
【請求項３】
前記冷気流入防止部は、その下端が前記縦仕切り体の上端よりも下方に延出していることを特徴とする請求項１または２のいずれかに記載の冷蔵庫。
【請求項４】
前記冷気流入防止部の下端は、前記縦仕切り体の上方の冷蔵庫の天井に取り付けられ前記一方の扉の開閉に連動して前記縦仕切り体の回動を制御するガイド片の下端より下方に延出していないことを特徴とする請求項１乃至３のいずれか１項に記載の冷蔵庫。
【請求項５】
前記冷気流入防止部は、貯蔵室の内部に向かう後面が貯蔵室の前面開口部に向かって傾斜していることを特徴とする請求項１乃至４のいずれか１項に記載の冷蔵庫。
【請求項６】
前記冷気流入防止部は、前記縦仕切り体に対して該縦仕切り体を一方の扉の裏面に回動自在に枢支している枢支軸寄りに配設されることを特徴とする請求項１乃至５のいずれか１項に記載の冷蔵庫。
【請求項７】
前記冷気流入防止部の冷蔵庫の一方の扉を閉じた状態において当該一方の扉に平行な方向の横幅は、縦仕切り体の上端の上の隙間に貯蔵室の内部からの冷気が流入しないだけの幅を有することを特徴とする請求項１乃至６のいずれか１項に記載の冷蔵庫。
【発明の詳細な説明】
【技術分野】
【０００１】
本発明の実施形態は、冷蔵庫に関し、特に観音開き式扉を有する冷蔵庫に関する。
【背景技術】
【０００２】
観音開き式扉を有する冷蔵庫においては、観音開き式扉の一方の扉と他方の扉との間の隙間を閉塞するように一方の扉の裏面に回動式の縦仕切り体が取り付けられている。この縦仕切り体は、観音開き式扉の一方の扉と他方の扉との間の上部から下部まで延在し、両扉の隙間を閉塞し、この隙間から冷気が外部に流出することを防止している。
【先行技術文献】
【特許文献】
【０００３】
【特許文献１】特開２００９-２２８９６４号公報
【発明の概要】
【発明が解決しようとする課題】
【０００４】
上述したように、観音開き式扉の冷蔵庫の縦仕切り体は、観音開き式扉の一方の扉と他方の扉との間の上部から下部まで延在し、両扉の隙間を閉塞しているが、この縦仕切り体の上方の冷蔵庫の天井には、観音開き式扉の一方の扉の開閉に連動して縦仕切り体の回動を制御するガイド片が取り付けられ、また縦仕切り体の上部には前記ガイド片と嵌合し、この嵌合により一方の扉の開閉に連動して縦仕切り体を回動させるガイド溝が設けられているため、観音開き式扉の一方の扉と他方の扉との間の上部は、隙間がないように縦仕切り体により完全に覆われてなく、前記ガイド片やガイド溝などの部材を挟んで、縦仕切り体の上端の上に隙間があり、この部分の断熱を完全することは難しかった。
【０００５】
従って、この縦仕切り体の上部に冷蔵庫内部からの冷気が直接当たり、縦仕切り体の表面と内面との温度差が大きくなり、縦仕切り体の表面に結露が発生する場合が想定される。
【０００６】
なお、このような結露を防止するために、従来は、縦仕切り体にヒータを設けているが、このようなヒータの削除またはヒータへの入力電力の低減などを考慮して、縦仕切り体の表面に結露が発生しにくい構造が要望されている。
【０００７】
本発明は、上記に鑑みてなされたもので、その目的とするところは、縦仕切り体の上部に冷蔵庫内部からの冷気が当たらないようにして縦仕切り体の表面の結露を防止し得る冷蔵庫を提供することにある。
【課題を解決するための手段】
【０００８】
上記課題を達成するため、実施形態によれば、観音開き式扉の一方の扉の反枢支側の裏面に取り付けられ、観音開き式扉の間の隙間を閉塞する縦仕切り体の上端の上の隙間に貯蔵室の内部からの冷気が流入しないように冷蔵庫の天井から縦仕切り体の上部にかけて下方に向かって垂れ下がるように延出する冷気流入防止部を設ける。
【図面の簡単な説明】
【０００９】
【図１】本発明の一実施形態に係わる観音開き式扉の一方の扉の裏面に縦仕切り体を取り付けられた冷蔵庫の一部を示す断面図である。
【図２】図１に示す冷蔵庫に取り付けられている冷気流入防止部材を拡大して示す側面図である。
【図３】図１に示す冷蔵庫をその観音開き式扉を除去した状態で正面側から見た図である。
【図４】図１に示す冷蔵庫に取り付けられている冷気流入防止部材を上側から見た平面図である。
【図５】図１に示す冷蔵庫の扉に取り付けられている縦仕切り体および冷蔵庫の天井に取り付けられている冷気流入防止部材を冷蔵庫の上から天井を取り外して示す説明図である。
【発明を実施するための形態】
【００１０】
以下、図面を用いて、本発明を実施するための形態(以下、実施形態と称する)を説明する。
【００１１】
図１は、本発明の一実施形態に係わる観音開き式扉の一方の扉の裏面に縦仕切り体を取り付けられた冷蔵庫の一部を示す断面図である。同図に一部が示される冷蔵庫１は、貯蔵室３の前面開口部に取り付けられた観音開き式扉の一方の扉５の裏面に縦仕切り体７が取り付けられている。この縦仕切り体７は、観音開き式扉の一方の扉５と図示しない他方の扉との間の隙間を閉塞している。
【００１２】
更に詳しくは、縦仕切り体７は、貯蔵室３の前面開口部の左右両側に回動自在に枢支されて前面開口部を閉塞および開放する観音開き式扉の一方の扉５の反枢支側の裏面に取り付けられ、観音開き式扉の一方の扉５と他方の扉との間の隙間を閉塞している。なお、縦仕切り体７の上方には、冷蔵庫１の天井９が図示され、また縦仕切り体７と一方の扉５の裏面との間には、ガスケット１０が設けられ、このガスケット１０により縦仕切り体７と一方の扉５の裏面との間を更に完全にシールしている。
【００１３】
縦仕切り体７の上方の天井９の下面には、冷気流入防止部材１１が取り付けられている。この冷気流入防止部材１１は、図２にも若干異なる角度から拡大して図示するように、縦仕切り体７の上端の上の隙間に貯蔵室３の内部からの冷気が入らないように冷蔵庫１の天井９から縦仕切り体７の上部にかけて下方に向かって垂れ下がるように延出している冷気流入防止部１３と、一方の扉５の開閉に連動して縦仕切り体７を回動させるように下方に向かって延出するガイド片１５とを有する。
【００１４】
すなわち、冷気流入防止部１３は、ガイド片１５とともに冷気流入防止部材１１として一体的に構成されている。また、冷気流入防止部１３の下端は、本実施形態では、ガイド片１５の下端より下方に延出してなく、すなわち冷気流入防止部１３は、ガイド片１５よりも短く形成され、これにより冷蔵庫１の扉を開けた時に冷気流入防止部１３が目立たないようにするとともに、貯蔵室３への貯蔵物の出し入れに影響がないようにしている。なお、逆に、冷気流入防止部１３の下端がガイド片１５の下端より下方に延出していてもよい。
【００１５】
一方、縦仕切り体７の上端には、冷気流入防止部材１１の前記ガイド片１５が嵌合し、このガイド片１５との嵌合により一方の扉５の開閉に連動して縦仕切り体７を回動させるガイド溝２１が設けられている。
【００１６】
なお、このガイド溝２１は、縦仕切り体７の一部を構成するものであるが、このガイド溝２１を構成する縦仕切り体７の上端の上に前記隙間が僅かに存在し、そのため従来はこの間隙部分の断熱構造が弱いものに成り勝ちであった。
【００１７】
すなわち、貯蔵室３の後方には貯蔵室３を前方に向けて冷気を吹き出す吹き出し口を有するダクトが設置されており、通常は冷気流入防止部１３の真後の位置に吹き出し口が設けられる。つまり、このダクト内をエバポレータによって冷却された冷気がファンによって下方から上方に向かって流れ、吹き出し口から吹き出し、後述する冷気（矢印２００で示す）の流れとなる。
【００１８】
本実施形態では、この間隙部分に冷蔵庫内部、冷気吹き出し口からの冷気が直接当たらないように前記冷気流入防止部１３が下方に垂れ下がるように延出し、前記吹き出し口からの冷気が矢印２００で示すように冷気流入防止部１３に当たって下方に流れ、前記隙間部分に当たらないようにしている。従って、縦仕切り体７の表面と内面との温度差も大きくならず、縦仕切り体７の表面に結露が発生することはない。
【００１９】
また、冷気流入防止部１３の下方に垂れ下がった下端は、縦仕切り体７の上部、すなわちガイド溝２１を構成する縦仕切り体７の上端よりも下方に延出していることが上述した貯蔵室３内部からの冷気が矢印２００で示すように確実に下方に流れ、隙間に入らせないためにも望ましいことである。
【００２０】
冷気流入防止部１３の後面、すなわち貯蔵室３の内部に向かう後面は、貯蔵室３の前面開口部に向かって、すなわち一方の扉５に向かって傾斜している。すなわち、冷気流入防止部１３の後面の上端、すなわち冷気流入防止部１３の後面の天井９の下面に取り付けられた上端は、貯蔵室３の内部に寄るように取り付けられ、後面の下端は、貯蔵室３の内部から離れて前面開口部に向かうように形成され、これにより冷気流入防止部１３の後面は貯蔵室３の前面開口部に向かって傾斜している。
【００２１】
このような冷気流入防止部１３の後面の傾斜により、貯蔵室３内部からの冷気が冷気流入防止部１３の傾斜した後面に当たった場合、矢印２００で示すように、冷気は確実に下方に流れ、縦仕切り体７の上部に当たることはない。従って、上述した結露の発生もない。
【００２２】
図３は、図１に示す冷蔵庫１をその観音開き式扉を除去した状態で正面側から見た図である。なお、図１は、観音開き式扉を付けた状態において図３の線Ｂ−Ｂに沿った断面図である。
【００２３】
図３から分かるように、縦仕切り体７の上方の天井９の下面に取り付けられた冷気流入防止部材１１は、縦仕切り体７の横幅よりも広い幅を持って、観音開き式扉の両扉の開放自由端部を覆い、これにより貯蔵室３内部からの冷気が縦仕切り体７の上部に当たらないようになっている。すなわち、冷気流入防止部１３の横幅は、縦仕切り体７の上端の上の隙間に貯蔵室３の内部からの冷気が流入しないだけの幅を有し、これにより縦仕切り体７の上端の上の隙間に冷気が流入することを適確に防止している。
【００２４】
図４は、前記冷気流入防止部材１１を上側から見た平面図である。図４において、上側が冷蔵庫１の前面開口部、すなわち観音開き式扉が取り付けられる側であり、下側が貯蔵室３に面する側である。この冷気流入防止部材１１のほぼ中央の左右両側には、ねじ孔３１が２個形成され、このねじ孔３１を用いて、冷気流入防止部材１１は、冷蔵庫１の天井９に取り付けられている。
【００２５】
図５は、図１に示す冷蔵庫１の観音開き式扉５、６の一方の扉５に取り付けられている縦仕切り体７および冷蔵庫１の天井に取り付けられている冷気流入防止部材１１を冷蔵庫１の上から天井を取り外して図示する説明図である。
【００２６】
図５に示すように、縦仕切り体７は、前側左端の角部が枢支軸７１により一方の扉５の裏面に回動自在に枢支されている。この縦仕切り体７は、同図では、冷気流入防止部材１１の下側に位置しているため、一部が点線で示されているが、冷気流入防止部材１１の前記ガイド片１５が嵌合する前記ガイド溝２１が左下から右上に向かうように円弧状に若干傾斜して形成されている。そして、縦仕切り体７は、ガイド溝２１とガイド片１５との嵌合により、一方の扉５の開閉に連動して枢支軸７１を中心に回動し、図示のように一方の扉５に平行な位置と垂直な位置をとるようになっている。すなわち、一方の扉５が図５のように閉じている時には、縦仕切り体７は一方の扉５に平行となり、一方の扉５が開いた時には、縦仕切り体７は一方の扉５に対して垂直になるようになり、貯蔵室３への貯蔵物の出し入れに影響がないようにするとともに、一方の扉５の開閉時に一方の扉５が他方の扉６に当たらないようにしている。
【００２７】
冷気流入防止部１３は、縦仕切り体７の枢支軸７１寄りに位置するように冷気流入防止部材１１に設けられ、これにより縦仕切り体７の枢支軸７１の近辺に形成される隙間に貯蔵室３の内部からの冷気が直接流入することを防止している。すなわち、冷気流入防止部１３は、貯蔵室３の内部からの冷気を矢印３０１，３０２で示すように戻し、縦仕切り体７の上端の上の隙間や枢支軸７１の近辺の隙間に冷気が流入することを防止している。
【００２８】
また更に、冷気流入防止部１３の横幅、すなわち冷蔵庫１の一方の扉５を閉じた状態において当該一方の扉５に平行な方向の冷気流入防止部材１１の横幅は、縦仕切り体７の上端の上の隙間に貯蔵室３の内部からの冷気が流入しないだけの幅を有し、これにより縦仕切り体７の上端の上の隙間や枢支軸７１の近辺の隙間に冷気が流入することを適確に防止している。
【００２９】
また、図５に示すように、冷気流入防止部材１１は、右側上部が斜めに大きく切り欠かれている。
【００３０】
なお、上記実施形態では、縦仕切り体７は、観音開き式扉の左側の一方の扉５に取り付けられているが、右側の他方の扉６に取り付けられてもよいものである。実施形態は例示であり、発明の範囲はそれらに限定されない。
【符号の説明】
【００３１】
１  冷蔵庫
３  貯蔵室
５  一方の扉
７  縦仕切り体
９  天井
１１  冷気流入防止部材
１３  冷気流入防止部
１５  ガイド片
２１  ガイド溝
７１  枢支軸
【図１】
2012037182.tif 000003
【図２】
2012037182.tif 000004
【図３】
2012037182.tif 000005
【図４】
2012037182.tif 000006
【図５】
2012037182.tif 000007